(57)【要約】【課題】モニタ出力装置をディスプレイ表示装置に接続して、静止画に動画を重ね合わせた画面をディスプレイに表示する場合に、静止画部分については補正を行わず、動画部分についてのみ補正を行うことができ、画面全体の画像の品格を落とすことなく動画部分の画質を向上させることができるディスプレイ表示システムを提供する。【解決手段】モニタ出力装置１１に、映像信号２１を送信する機構に加えて、映像信号２１に同期し静止画部分と動画部分とで状態が切り換わる切り換え信号２４を送信する機構を追加し、ディスプレイ表示装置１２側には、受信した映像信号２１に対して補正を行う機構に加えて、モニタ出力装置１１から出力された切り換え信号２４を基に、モニタ出力装置１１から出力された映像信号２４と補正を行った映像信号とを切り換えて出力する機構を追加する。【選択図】図１
2006350141.tif 000002
【特許請求の範囲】
【請求項１】
静止画に動画を重ね合わせた画面の映像信号を送信する機構と、該映像信号に同期し静止画部分と動画部分とで状態が切り換わる切り換え信号を送信する機構と、を有するモニタ出力装置と、
前記モニタ出力装置から出力された映像信号の補正を行う補正機構と、前記モニタ出力装置から出力された切り換え信号を基に、前記モニタ出力装置から出力された映像信号と前記補正機構により補正された映像信号とを切り換えて出力する機構と、を有するディスプレイ表示装置と、
を備えることを特徴とするディスプレイ表示システム。
【請求項２】
モニタ出力装置とディスプレイ表示装置からなるディスプレイ表示システムに用いるモニタ出力装置であって、
静止画に動画を重ね合わせた画面の映像信号を送信する機構と、
該映像信号に同期し静止画部分と動画部分とで状態が切り換わる切り換え信号を送信する機構と、
を有することを特徴とするモニタ出力装置。
【請求項３】
請求項２記載のモニタ出力装置とディスプレイ表示装置からなるディスプレイ表示システムに用いるディスプレイ表示装置であって、
前記モニタ出力装置から出力された映像信号の補正を行う補正機構と、
前記モニタ出力装置から出力された切り換え信号を基に、前記モニタ出力装置から出力された映像信号と前記補正機構により補正された映像信号とを切り換えて出力する機構と、
を有することを特徴とするディスプレイ表示装置。
【請求項４】
静止画に動画を重ね合わせた画面の映像信号を送信する機構と、静止画内の動画部分の位置に関する動画情報を送信する機構と、を有するモニタ出力装置と、
前記モニタ出力装置から出力された映像信号の補正を行う補正機構と、前記モニタ出力装置から出力された動画情報を基に、前記モニタ出力装置から出力された映像信号に同期し静止画部分と動画部分とで状態が切り換わる切り換え信号を生成する機構と、前記切り換え信号を基に、前記モニタ出力装置から出力された映像信号と前記補正機構により補正された映像信号とを切り換えて出力する機構と、を有するディスプレイ表示装置と、
を備えることを特徴とするディスプレイ表示システム。
【請求項５】
モニタ出力装置とディスプレイ表示装置からなるディスプレイ表示システムに用いるモニタ出力装置であって、
静止画に動画を重ね合わせた画面の映像信号を送信する機構と、
静止画内の動画部分の位置に関する動画情報を送信する機構と、
を有することを特徴とするモニタ出力装置。
【請求項６】
請求項５記載のモニタ出力装置とディスプレイ表示装置からなるディスプレイ表示システムに用いるディスプレイ表示装置であって、
前記モニタ出力装置から出力された映像信号の補正を行う補正機構と、
前記モニタ出力装置から出力された動画情報を基に、前記モニタ出力装置から出力された映像信号に同期し静止画部分と動画部分とで状態が切り換わる切り換え信号を生成する機構と、
前記切り換え信号を基に、前記モニタ出力装置から出力された映像信号と前記補正機構により補正された映像信号とを切り換えて出力する機構と、
を有することを特徴とするディスプレイ表示装置。
【発明の詳細な説明】
【技術分野】
【０００１】
本発明は、静止画に動画を重ね合わせた画面の映像信号を出力するモニタ出力装置と該モニタ出力装置から出力された映像信号を表示するディスプレイ表示装置からなるディスプレイ表示システム、モニタ出力装置、およびディスプレイ表示装置に関する。
【背景技術】
【０００２】
近年、液晶ディスプレイパネルやプラズマディスプレイパネルなどの高性能なディスプレイ表示装置の普及が著しい。これらのディスプレイ表示装置は、外部入力端子にパソコンやゲーム機器などのさまざまなモニタ出力装置を接続して画面を表示することができる。
【０００３】
特に、最近のパソコンは、ＴＶチューナーやＤＶＤの再生機能を有した機種（ＡＶパソコン）が主流となりつつあり、ノート・パソコンなどは付属のディスプレイが小型のため、大型のディスプレイ表示装置に接続して視聴する機会が増えてきている。
【０００４】
ただし、通常、パソコンなどは、付属のディスプレイで画面を見ることを前提に最適な画像となるように画質調整を行うため、外部の大型ディスプレイ表示装置にパソコンから送られてきた映像信号を表示すると、画像の劣化が起きる場合がある。そのため、利用者からは、このような場合においても画像の劣化が起きないように画質の改善を求める声が増えてきている。
【０００５】
図７は、ディスプレイ表示装置にモニタ出力装置を接続したディスプレイ表示システムの一例を示す図である。図７において、１１はモニタ出力装置、１２はディスプレイ表示装置、１３は接続ケーブルである。
【０００６】
また、図８は、従来のディスプレイ表示装置の概略構成を示すブロック図である。図８において、２１はモニタ出力装置から送られる映像信号、２２は画質向上のための画質補正部、２３は補正後の映像信号である。
【０００７】
従来のディスプレイ表示システムでは、モニタ出力装置１１から接続ケーブル１３を介してディスプレイ表示装置１２へ送られた映像信号２１は、画質補正部２２に入力され、補正後の映像信号２３が最終的に表示される。
【０００８】
図９は、画面の伝送方式を説明するための図であり、図９（ａ）はモニタ出力装置からディスプレイ表示装置へ送られる画面を示している。モニタ出力装置から出力される映像信号は、画面を、画素単位で、画面の左端から横方向に右端まで順次送る信号である。
【０００９】
ディスプレイ表示装置は、図９（ｂ）に示すように、伝送された映像信号を、画素単位で順次ディスプレイ上に表示していく。この表示方法を「走査」と呼び、走査の軌跡を「走査線」と呼ぶ。走査線の単位としては「ライン」や「Ｈ」が用いられ、「１ライン」とか「１Ｈ」などと数える。画面は、この走査線を画面の上から下に並べて構成され、１画面全体を「１フレーム」と呼ぶ。
【００１０】
静止画に動画を重ね合わせた画面の映像信号を出力するモニタ出力装置をディスプレイ表示装置に接続した場合、通常、静止画部分と動画部分の区別無く画面の走査線ごとに映像信号として送り出される。図１０（ａ）に静止画に動画を重ね合わせた画面の一例を示す。また、図１０（ｂ）に、図１０（ａ）に示す走査線Ａ−Ｂの映像信号の一例を示す。
【００１１】
図１０（ａ）に示す画面に対して、動画部分の画質を向上させるために、従来のディスプレイ表示装置で映像信号の補正を行うと、図１０（ｃ）に示すように、映像信号全体に補正がかかり、静止画部分にも補正が行われる。ここで具体的な画質補正の例をあげると、入力した映像信号の平均の明るさを検出して、暗い映像の場合はコントラストをあげて明るくするコントラスト補正などがある。この場合、動画の状況（明るさ）に応じて補正効果（コントラスト）を動的に変化させるため、常に同じ映像を表示している静止画部分では画質の変化が目立ってしまい、品格が悪くなるという問題があった。
【００１２】
このような問題を解決するためには、図１０（ｄ）に示すように、動画部分に該当するＡ´−Ｂ´の部分だけに補正を行えばよいが、その場合、補正を行うディスプレイ表示装置側で画面全体から動画部分の抽出を行わなければならない。しかしながら、モニタ出力装置側で動画の表示位置やサイズを容易に変更できるため、従来のディスプレイ表示システムでは、ディスプレイ表示装置側で常に動画部分の表示位置およびサイズを把握することは非常に困難であった。
【００１３】
そこで、従来より、フレーム間で動き検出を行い、動きのある個体に着目する画像処理方法が提案されている（例えば、特許文献１参照。）。しかしながら、この画像処理方法を実現する装置は、構成が非常に複雑になるという問題があった。
【特許文献１】特開平１１−３４６８５２号公報
【発明の開示】
【発明が解決しようとする課題】
【００１４】
本発明は、上記問題点に鑑み、モニタ出力装置に、映像信号を送信する機構に加えて、映像信号に同期し静止画部分と動画部分とで状態が切り換わる切り換え信号を送信する機構を追加し、ディスプレイ表示装置側には、受信した映像信号に対して補正を行う機構に加えて、モニタ出力装置から出力された切り換え信号を基に、モニタ出力装置から出力された映像信号と補正を行った映像信号とを切り換えて出力する機構を追加することにより、静止画部分については補正を行わない映像信号を表示し、動画部分についてのみ補正を行った映像信号を表示することができ、モニタ出力装置を接続して、静止画に動画を重ね合わせた画面をディスプレイに表示する場合に、画面全体の画像の品格を落とすことなく動画部分の画質を向上させることができるディスプレイ表示システム、モニタ出力装置、およびディスプレイ表示装置を提供することを目的とする。
【００１５】
また、本発明は、モニタ出力装置に、映像信号を送信する機構に加えて、静止画内の動画部分の位置に関する動画情報を送信する機構を追加し、ディスプレイ表示装置側には、受信した映像信号に対して補正を行う機構に加えて、モニタ出力装置から出力された動画情報を基に、映像信号に同期し静止画部分と動画部分とで状態が切り換わる切り換え信号を生成する機構と、該切り換え信号を基に、モニタ出力装置から出力された映像信号と補正を行った映像信号とを切り換えて出力する機構を追加することにより、静止画部分については補正を行わない映像信号を表示し、動画部分についてのみ補正を行った映像信号を表示することができ、モニタ出力装置を接続して、静止画に動画を重ね合わせた画面をディスプレイに表示する場合に、画面全体の画像の品格を落とすことなく動画部分の画質を向上させることができるディスプレイ表示システム、モニタ出力装置、およびディスプレイ表示装置を提供することを目的とする。
【課題を解決するための手段】
【００１６】
本発明の請求項１記載のディスプレイ表示システムは、静止画に動画を重ね合わせた画面の映像信号を送信する機構と、該映像信号に同期し静止画部分と動画部分とで状態が切り換わる切り換え信号を送信する機構と、を有するモニタ出力装置と、前記モニタ出力装置から出力された映像信号の補正を行う補正機構と、前記モニタ出力装置から出力された切り換え信号を基に、前記モニタ出力装置から出力された映像信号と前記補正機構により補正された映像信号とを切り換えて出力する機構と、を有するディスプレイ表示装置と、を備えることを特徴とする。
【００１７】
また、本発明の請求項２記載のモニタ出力装置は、モニタ出力装置とディスプレイ表示装置からなるディスプレイ表示システムに用いるモニタ出力装置であって、静止画に動画を重ね合わせた画面の映像信号を送信する機構と、該映像信号に同期し静止画部分と動画部分とで状態が切り換わる切り換え信号を送信する機構と、を有することを特徴とする。
【００１８】
また、本発明の請求項３記載のディスプレイ表示装置は、請求項２記載のモニタ出力装置とディスプレイ表示装置からなるディスプレイ表示システムに用いるディスプレイ表示装置であって、前記モニタ出力装置から出力された映像信号の補正を行う補正機構と、前記モニタ出力装置から出力された切り換え信号を基に、前記モニタ出力装置から出力された映像信号と前記補正機構により補正された映像信号とを切り換えて出力する機構と、を有することを特徴とする。
【００１９】
また、本発明の請求項４記載のディスプレイ表示システムは、静止画に動画を重ね合わせた画面の映像信号を送信する機構と、静止画内の動画部分の位置に関する動画情報を送信する機構と、を有するモニタ出力装置と、前記モニタ出力装置から出力された映像信号の補正を行う補正機構と、前記モニタ出力装置から出力された動画情報を基に、前記モニタ出力装置から出力された映像信号に同期し静止画部分と動画部分とで状態が切り換わる切り換え信号を生成する機構と、前記切り換え信号を基に、前記モニタ出力装置から出力された映像信号と前記補正機構により補正された映像信号とを切り換えて出力する機構と、を有するディスプレイ表示装置と、を備えることを特徴とする。
【００２０】
また、本発明の請求項５記載のモニタ出力装置は、モニタ出力装置とディスプレイ表示装置からなるディスプレイ表示システムに用いるモニタ出力装置であって、静止画に動画を重ね合わせた画面の映像信号を送信する機構と、静止画内の動画部分の位置に関する動画情報を送信する機構と、を有することを特徴とする。
【００２１】
また、本発明の請求項６記載のディスプレイ表示装置は、請求項５記載のモニタ出力装置とディスプレイ表示装置からなるディスプレイ表示システムに用いるディスプレイ表示装置であって、前記モニタ出力装置から出力された映像信号の補正を行う補正機構と、前記モニタ出力装置から出力された動画情報を基に、前記モニタ出力装置から出力された映像信号に同期し静止画部分と動画部分とで状態が切り換わる切り換え信号を生成する機構と、前記切り換え信号を基に、前記モニタ出力装置から出力された映像信号と前記補正機構により補正された映像信号とを切り換えて出力する機構と、を有することを特徴とする。
【発明の効果】
【００２２】
本発明によれば、静止画に動画を重ね合わせた画面の動画部分にのみ補正を行うことができるようになり、静止画部分に影響を及ぼすことなく動画部分に限定して画質の補正を行うことができる。よって、画面全体の画像の品格を落とすことなく画質を向上させることができる。また、複雑な構成とすることなく、動画部分を比較的容易にディスプレイ表示装置側で把握することができるようになる。
【発明を実施するための最良の形態】
【００２３】
以下、本発明の実施の形態におけるディスプレイ表示システム、モニタ出力装置、およびディスプレイ表示装置について、図面を交えて説明する。
（実施の形態１）
図１は、本実施の形態１におけるディスプレイ表示システムの概略構成を示すブロック図である。図１において、１１はモニタ出力装置、１２はディスプレイ表示装置、２１は映像信号、２４は切り換え信号である。
【００２４】
モニタ出力装置１１は、静止画に動画を重ね合わせた画面の映像信号２１を送信する機構とともに、映像信号２１に同期し静止画部分と動画部分とで状態が切り換わる切り換え信号２４を送信する機構を有する。
【００２５】
切り換え信号２４は、１走査線内のどの部分が動画部分であるかをディスプレイ表示装置１２に認識させるための信号で、ディスプレイ表示装置１２へ送信される映像信号２１の水平同期パルスに同期して、走査線ごとにディスプレイ表示装置１２へ送信される。
【００２６】
図２（ａ）に、静止画に動画を重ね合わせた画面の一例を示す。また、図２（ｂ）に、図２（ａ）に示す走査線Ａ−Ｂの映像信号の一例を示す。また、図２（ｃ）に、走査線Ａ−Ｂの映像信号に同期して送信される切り換え信号の一例を示す。走査線Ａ−Ｂの映像信号には、静止画部分と動画部分の両方が含まれており、Ａ´−Ｂ´の部分が動画部分に該当する。切り換え信号は、映像信号の水平同期パルスに同期して１走査線ごとに送られ、図２に示すように、走査線Ａ−Ｂの静止画部分と動画部分（Ａ´−Ｂ´）との間で状態（信号レベル）が変化する２値信号である。ここでは、静止画部分で信号レベルがロウレベルとなり、動画部分でハイレベルとなる場合について説明する。
【００２７】
図３は、本実施の形態１におけるディスプレイ表示装置の概略構成を示すブロック図である。図３において、２１はモニタ出力装置から送られてくる映像信号、２４はモニタ出力装置から送られてくる切り換え信号、２２は画質向上のための画質補正部、２３は画質補正後の映像信号、３１は出力切り換え部、３２は最終的に出力される出力映像信号である。
【００２８】
図３に示すように、モニタ出力装置から送られてくる映像信号２１は２つの経路にそれぞれ並列に分配され、一方は画質補正部２２に入力され補正される。補正後の映像信号２３は出力切り換え部３１に入力される（経路２）。もう一方の映像信号はそのまま出力切り換え部３１に入力される（経路１）。また、モニタ出力装置から送られてくる切り換え信号２４は、走査線ごとに映像信号に同期して出力切り換え部３１に入力される。
【００２９】
出力切り換え部３１には、経路１と経路２から２種類の映像信号が入力され、切り換え信号２４を基にいずれか一方の入力信号を選択して出力する。具体的には、切り換え信号２４の信号レベルがハイレベル（動画部分）の場合は、経路２（補正後の映像信号）を選択し、ロウレベル（静止画部分）の場合は、経路１（補正無しの映像信号）を選択する。
【００３０】
このように、出力切り換え部３１は、切り換え信号２４の信号レベル（状態）に応じて、モニタ出力装置から出力された映像信号と補正を行った映像信号とを切り換えながら、画素単位で、画面の左端から横方向に右端まで順に表示していく。そして、１走査線の表示が終わると、同様の手順で、再び次の走査線の表示を行い、最終的に走査線をディスプレイの上から下まで表示し、１フレームの画面の表示を行う。したがって、図３における出力映像信号３２は、モニタ出力装置から受信した映像信号の動画部分にのみ補正を行った映像信号となる。
【００３１】
以上のように、ディスプレイ表示装置１２は、モニタ出力装置から出力された映像信号２１の補正を行う補正機構とともに、モニタ出力装置から出力された切り換え信号２４を基に、モニタ出力装置から出力された映像信号２１と補正機構により補正された映像信号２３とを切り換えて出力する機構を有する。
【００３２】
本実施の形態１によれば、ディスプレイ上に表示された画面は、静止画部分には画質補正が行われず、動画部分にのみ画質補正が行われた画面となる。よって、動画の表示に応じて補正効果を変化させた場合に、静止画像にまで動的に補正がかかり視聴者が画面に違和感を覚えるといった問題を解消することができる。
【００３３】
（実施の形態２）
続いて、本実施の形態２におけるディスプレイ表示システム、モニタ出力装置、およびディスプレイ表示装置について説明する。但し、前述した実施の形態１で説明した部材・信号と同一の部材・信号には同一符号を付して、説明を省略する。
【００３４】
図４は、本実施の形態２におけるディスプレイ表示システムの概略構成を示すブロック図である。図４において、２５は動画情報信号である。モニタ出力装置１１は、静止画に動画を重ね合わせた画面の映像信号２１を送信する機構とともに、静止画内の動画部分の位置に関する動画情報の信号２５を送信する機構を有する。動画情報信号２５には、画面内の動画部分に関するパラメータが重畳されている。
【００３５】
図５に動画情報のパラメータの一例を示す。動画情報は、ヘッダ部とデータ部からなり、データ部には、例えば図５（ａ）に示すように、動画部分の左上の画素の水平座標（Ｘ１）と垂直座標（Ｙ１）、および右下の画素の水平座標（Ｘ２）と垂直座標（Ｙ２）がパラメータとして重畳される。また、他の例としては、例えば図５（ｂ）に示すように、動画部分の左上の画素の水平座標（Ｘ１）と垂直座標（Ｙ１）、および動画部分の水平方向のサイズ（ＨＳＩＺＥ）と垂直方向のサイズ（ＶＳＩＺＥ）がパラメータとして重畳される。他にもさまざまな信号フォーマットが考えられるが、画面上における動画部分の表示位置とその大きさが判別できるパラメータが重畳されていればよい。
【００３６】
図６は、本実施の形態２におけるディスプレイ表示装置の概略構成を示すブロック図である。図６において、２５はモニタ出力装置から送られてくる動画情報信号、３３はメモリを含む動画情報検出部、３４は切り換え信号生成部である。
【００３７】
図６に示すように、動画情報信号２５は、動画情報検出部３３に入力され、動画情報検出部３３は、受信した動画情報信号２５からパラメータを取り出してメモリに格納する。切り換え信号生成部３４は、動画情報検出部３３のメモリに格納されたパラメータを用いて、前述した実施の形態１で説明した切り換え信号と同様の切り換え信号２４を生成し、１走査線ごとに、水平同期パルスに同期して出力切り換え部３１に入力する。したがって、実施の形態１と同様に、出力映像信号３２は、モニタ出力装置から受信した映像信号の動画部分にのみ補正を行った映像信号となる。
【００３８】
なお、動画情報の送信のタイミングは任意である。例えば、１フレームごとに１度の送信であっても、ある任意の時間に不規則に送信してもかまわない。ただし、動画情報を受信するディスプレイ表示装置側では、動画情報をメモリに記憶すると、動画情報を再度受信するまで、メモリに記憶した情報を継続して使用する。したがって、例えば、動画部分の位置が変更された場合にのみ動画情報を送信するというプロトコルも可能である。
【００３９】
以上のように、ディスプレイ表示装置１２は、モニタ出力装置から出力された映像信号２１の補正を行う補正機構とともに、モニタ出力装置から出力された動画情報を基に、モニタ出力装置から出力された映像信号２１に同期し静止画部分と動画部分とで状態が切り換わる切り換え信号２４を生成する機構と、該切り換え信号２４を基に、モニタ出力装置から出力された映像信号２１と補正機構により補正された映像信号２３とを切り換えて出力する機構を有する。
【００４０】
よって、本実施の形態２によれば、実施の形態１と同様に、ディスプレイ上に表示された画面は、静止画部分には画質補正が行われず、動画部分にのみ画質補正が行われた画面となり、動画の表示に応じて補正効果を変化させた場合に、静止画像にまで動的に補正がかかり視聴者が画面に違和感を覚えるといった問題を解消することができる。
【００４１】
さらに、実施の形態１では切り換え信号のための専用線を設ける必要があったが、本実施の形態２におけるシステムは、ＡＶ．Ｌｉｎｋなどの映像信号線と通信線が規定された従来の規格の下で実現可能であり、汎用性の高いシステムを構築できる。
【産業上の利用可能性】
【００４２】
本発明にかかるディスプレイ表示システム、モニタ出力装置、およびディスプレイ表示装置は、静止画に動画を重ね合わせた画面のうち、静止画部分には画質補正を行わず、動画部分にのみ画質補正を行うことができ、モニタ出力装置をディスプレイ表示装置に接続したディスプレイ表示システムにおいて、表示する画面の画質を向上させる手段として有用である。
【図面の簡単な説明】
【００４３】
【図１】本発明の実施の形態１におけるディスプレイ表示システムの概略構成を示すブロック図
【図２】本発明の実施の形態１における静止画に動画を重ね合わせた画面とその画面の映像信号とその映像信号に同期する切り換え信号の一例を示す図
【図３】本発明の実施の形態１におけるディスプレイ表示装置の概略構成を示すブロック図
【図４】本発明の実施の形態２におけるディスプレイ表示システムの概略構成を示すブロック図
【図５】本発明の実施の形態２における動画情報のパラメータの一例を示す図
【図６】本発明の実施の形態２におけるディスプレイ表示装置の概略構成を示すブロック図
【図７】ディスプレイ表示装置にモニタ出力装置を接続したディスプレイ表示システムの一例を示す図
【図８】従来のディスプレイ表示装置の概略構成を示すブロック図
【図９】画面の伝送方式を説明するための図
【図１０】静止画に動画を重ね合わせた画面とその画面の映像信号および従来のディスプレイ表示装置で補正した映像信号の一例を示す図
【符号の説明】
【００４４】
１１      モニタ出力装置
１２      ディスプレイ表示装置
１３      接続ケーブル
２１      モニタ出力装置からの映像信号
２２      画質補正部
２３      補正後の映像信号
２４      切り換え信号
２５      動画情報信号
３１      出力切り換え部
３２      出力映像信号
３３      動画情報検出部
３４      切り換え信号生成部
【図１】
2006350141.tif 000003
【図２】
2006350141.tif 000004
【図３】
2006350141.tif 000005
【図４】
2006350141.tif 000006
【図５】
2006350141.tif 000007
【図６】
2006350141.tif 000008
【図７】
2006350141.tif 000009
【図８】
2006350141.tif 000010
【図９】
2006350141.tif 000011
【図１０】
2006350141.tif 000012